(57)【要約】【課題】 洗剤容器などに使用するプッシュポンプの空気漏れを防止する。【解決手段】固定管１０、可動管２０、密封シール装置３０から構成され、固定管一端には洗剤容器の蓋を設け、該固定管内には内溶液が流通し、ポンプ機構を設置する空間を形成する。該密封シール装置は、ピストン３１と逆流防止バルブ３２からなり、可動管先端との間に液体シール室３３を形成し、可動管頭部を押し下げて行なうポンプ操作に対してピストン下方のバネからなる復帰部品１３により元に位置に復帰動作する。ポンプ操作により固定管内の内溶液は、加圧されてバルブを押し開け、液体シール室を経て、可動管内を通じて汲み出され、ポンプを停止するとバルブが閉じて該液体シール室を封止し、内部に内溶液を貯留するため、固定間内壁に磨耗きずがあってもピストンの密封は保持される。【選択図】  図１０
2008074409.tif 000002
【特許請求の範囲】
【請求項１】
固定管、可動管、ピストンから構成され、
液体容器の開口に密封して固定された固定管内を内溶液の流通路とし、可動管を該固定管内に配置して可動管先端に設けたピストンと固定管によりポンプを構成し、該固定管内部に弾発力を備えてピストンを元の位置に復帰させる復帰部品を設置し、該頭部を押し下げて可動管を固定管軸方向に往復動作することにより、固定管内の内溶液を押し上げて可動管内を通して可動管上端に設けた頭部排出口から内溶液を汲み出すプッシュポンプにおいて、
該ピストン側に逆流防止機構を設けて可動管先端との間に内溶液を貯留する密封シール室を形成することにより、該ピストン廻りを内溶液で満たして固定管内壁面との密封性を保持せしめる、
ことを特徴とするプッシュポンプ。
【請求項２】
前記逆流防止機構は、該液体シール室と相互に連通する少なくとも１の貫通孔を備えた逆流防止バルブであることにより該液体シール室に内溶液を貯留する、
ことを特徴とする請求項１記載のプッシュポンプ。
【請求項３】
前記逆流防止バルブは、該貫通孔に対応する栓弁により構成したことを特徴とする請求項２記載のプッシュポンプ。
【請求項４】
前記逆流防止バルブには位置決め棒を設け、該密封シール装置上にはこれを挿通する位置決め孔を形成したことを特徴とする請求項２記載のプッシュポンプ。
【請求項５】
前記貫通孔内径は、双方向傾斜面を形成することを特徴とする請求項２記載のプッシュポンプ。
【請求項６】
前記復帰部品は、バネであることを特徴とする請求項１記載のプッシュポンプ。
【請求項７】
前記可動管外側には蓋を設けて、容器と組み合わせることを特徴とする請求項１記載のプッシュポンプ。
【発明の詳細な説明】
【技術分野】
【０００１】
本発明は、プッシュポンプ構造に関する。特に、プッシュポンプがピストン廻りの摩損により空気が漏れることで内容液を吸取りにくくなることを防止するプッシュポンプ構造に係る。
【背景技術】
【０００２】
一般の洗浄用液体洗剤の容器の設計では、通常その頭部には弾性プッシュ機能を具えたプッシュポンプを設置して容器の内容液を吸出すことにより、使用のたび毎に蓋を開閉して、内容液を取り出す不便を避けることができる。
中華民国特許第90200119号「プッシュヘッド安全ロック構造」は、内、外管体のプッシュヘッドを利用するものである。該プッシュヘッドは、容器の開口端に設置され、該プッシュヘッドの内管はプッシュヘッドが押されるに従い連動し、該内管底部にはピストンとピストンを元の位置に復帰させるスプリングなどの弾性部品を設置され、該内管を押し下げると該ピストンの移動に応じて容器の内容液が押し上げられ、使用者が該プッシュヘッドを放すと、弾性部品の弾発力により該プッシュヘッドは元の位置に戻り、こうして反復し容器内の液を吸い出す。
しかし、これらの公知の構造は、容器内の液体を便利に吸出す効果を達成してはいるが、該容器の内容液が工業用のハンドソープ、スクラブ効果を具えた洗顔剤など顆粒を含む形態である場合には、該プッシュヘッドの外管と内管壁面は、使用時に内容液の顆粒による摩損を受け、間隙が生じてピストンとの間の密封性が維持できなくなってしまう。これにより該ピストンを圧縮し内容液を吸い出す作用が低下し、さらには機能しなくなってしまうことさえある。よって実用性に欠け、改良の必要がある。
【特許文献１】特開２００５−４７５２０号公報
【発明の開示】
【発明が解決しようとする課題】
【０００３】
公知構造には以下の欠点があった。
すなわち、公知構造では容器の内容液が顆粒やスクラブを含む形態である場合には、使用時にプッシュヘッドの外管と内管壁面は内容液の顆粒による摩損を受け間隙が生じ密閉できなくなってしまい、内容液を吸い出す効果が減損し、さらには使用不能になる恐れがある。
本発明は上記構造の問題点を解決したプッシュポンプ構造を提供するものである。
【課題を解決するための手段】
【０００４】
上記課題を解決するため、本発明は下記のプッシュポンプ構造を提供する。
プッシュポンプ構造において、公知のプッシュポンプが顆粒或いはスクラブなどを含む内容液により摩損し空気漏れを起こし使用不能になる欠点を改善することができ、
すなわちそれは、固定管、可動管、密封シール装置を含み、
該固定管外には蓋を設置して容器の開口端と組み合わせ、該固定管内には設置空間を具え、該設置空間内に該可動管を設置し、
該可動管の頂点端は頭部を延伸し、該頭部は該可動管内と相互に連通し、出口端を具え、使用者は該頭部を押し容器内の内容液を吸い出すことができ、
該密封シール装置は該固定管内壁面に密着する方式により該可動管底端に結合し、これにより該密封シール装置と該可動管間には逆流防止機能を具えた液体シール室を形成し、該液体シール室は該可動管が押されるとそれに従い、一部の内容液は該液体シール室に貯蔵され、液体シール層を形成し、
さらにそれは内容液それ自身により液体シール層を形成することで、内容液の顆粒或いはスクラブの管壁に対する摩損を防止し、派生する空気漏れなどの問題を解決することができることを特徴とするプッシュポンプ構造である。
【発明の効果】
【０００５】
上記のように、本発明では密封シール装置と可動管間には逆流防止機能を具えた液体シール室を形成し、液体シール室は可動管が押されるとそれに従い、一部の内容液は液体シール室に貯蔵され液体シール層を形成するため、内容液それ自身により形成された液体シール層は内容液の顆粒或いはスクラブの管壁に対する摩損を防止し、派生する空気漏れなどの問題を解決することができる。
【発明を実施するための最良の形態】
【０００６】
図１、２に示すように、本発明プッシュポンプ構造の本体１は固定管１０、可動管２０、密封シール装置３０からなる。
使用者が該本体１の可動管頭部を押し下げると、該可動管２０が該固定管１０に沿って内部に押し込まれるにつれて先端部のピストン作用により内溶液を加圧し、可動管内を通して内容液を押し出す機能を達成する。この種のプッシュヘッドポンプが内容液を押し出す作動原理と構造は公知の技術に属するため、ここでは詳述しない。
該固定管１０は、内部に内溶液を導通する管状体で、外側には容器の蓋体１１を設置する。該蓋体１１は、容器４０の開口を密封する。該容器４０内部には内容液を充填する。該固定管１０内には内溶液を流通する設置空間１２を形成し、上記の本発明のプッシュヘッドポンプ機構のピストンを元の位置に復帰させる弾発力を備えた復帰部品１３を設置する。該復帰部品１３は本実施例中ではコイルバネである。
該可動管２０は、該固定管１０の設置空間１２内に設置され、該可動管２０の上端には頭部２１を延長形成する。該頭部２１には出口端２１１を設け、該可動管２０と相互に連通する。したがって、使用者は、該頭部２１を押し下げて該可動管２０を該固定管１０内を軸方向に下降させるとき該復帰部品１３の弾発力を受け、また、該頭部２１から手を放すと、元の位置を回復する。
【０００７】
次に図３〜８に示すように、密封シール装置３０は、ピストン３１、逆流防止バルブ３２から構成される。
該密封シール装置３０のピストン３１は、該可動管２０底端に結合されて該固定管１０の設置空間１２内壁面に密接して摺動動作し、該密封シール装置３０のピストン３１と該可動管２０間には液体シール室３３を形成する。また、該ピストン３１上には少なくとも１個の貫通孔３１１と少なくとも１個の位置決め孔３１２を具える。
該貫通孔３１１は、該液体シール室３３と相互に連通し、該貫通孔３１１の内径は両端が大きく、中央に向かい徐々に縮小する双方向傾斜状を呈する。該位置決め孔３１２は、該逆流防止バルブ３２により位置決めされる。
該逆流防止バルブ３２は、該貫通孔３１１の傾斜形状に対応する傾斜面を備えたブロック状の栓弁３２１、及び該位置決め孔３１２に挿通する位置決め棒３２２を具える。
該逆流防止バルブ３２の栓弁３２１は、該液体シール室３３に一方通行の逆流防止機能を提供し、これによりポンプ操作によって該液体シール室３３内に流入した内溶液は貯留される。また該貫通孔３１１の双方向傾斜状によりこれらの貯留された内容液の密封作用を強化し、該液体シール室に貯留された内溶液の漏出を効果的に防止してこれらのピストン廻りに保持する。
該位置決め棒３２２は、該位置決め孔３１２内に挿通して嵌合され、該位置決め棒３２２と該位置決め孔３１２の嵌合により該逆流防止バルブ３２は一定のストロークで開閉動作を行う。
該貫通孔３１１と該栓弁３２１は図３、４に示す形態に限定されるものではなく、弁作用を備える他のあらゆる幾何学形状とすることができる。
【０００８】
続いて図９、１０に示すように、使用者が使用に際して該頭部２１を押し下げると、該内容液は上に向かって押し上げられ、逆流防止バルブ３２は、内容液の圧力を受けて上方へと移動し、該貫通孔３１１を封鎖する栓弁３２１は上方へと移動し、該貫通孔３１１は開放状態となる。こうして内容液は、該貫通孔３１１から該液体シール室３３内に流入し終わって、該逆流防止バルブ３２は内容液を押上げる圧力が消失すると再び封止し、内容液は該液体シール室３３内に貯蔵される。
該内容液は、気密液体シール層を形成するため、該固定管１０は該密封シール装置３０より下の設置空間１２と該密封シール装置３０より上の設置空間１２に区画される。こうして、該可動管２０は該頭部２１が押し下げられる過程において、該液体シール室３３に導入される内容液は、常にピストン廻りに重点されて該固定管１０内縁壁面に生じた削り傷による凹凸を満たすため、該可動管２０が該固定管１０に沿って直線反復動作を行う時の液体シール効果により、容器内に貯蔵される内容液は可動管２０のポンプ動作に従い完全に汲み出される。
該液体シール室３３内に貯蔵する内容液が液体シール層を形成することにより、使用者が再び該頭部２１を押すと、空気漏れを生じることなく該ピストン２０は所定容量の内容液を汲み出せる。該内容液は該設置空間１２底部より該可動管２０へと流れ、該可動管２０へと流れる内容液は、該頭部２１の出口端２１１より放出される。該液体シール層は空気漏れを防止する機能を具えるため、使用者が該頭部２１を押し下げて放出する内容液の量は一定に保持され、使用にとっては非常に便利である。
【図面の簡単な説明】
【０００９】
【図１】本発明プッシュポンプ構造の外観立体指示図である。
【図２】本発明プッシュポンプ構造の断面指示図である。
【図３】本発明プッシュポンプ構造の密封シール装置の立体分解図である。
【図４】本発明プッシュポンプ構造の密封シール装置の外観立体透視図である。
【図５】図４のA-A線における断面指示図である。
【図６】図５の逆流防止バルブ開放状態の断面指示図である。
【図７】図４のB-B線における断面指示図である。
【図８】図７の逆流防止バルブ開放状態の断面指示図である。
【図９】本発明プッシュポンプ構造の使用状態断面指示図である。
【図１０】本発明プッシュポンプ構造の逆流防止バルブ開放指示図である。
【符号の説明】
【００１０】
１  本体
１０  固定管
１１  蓋体
１２  設置空間
１３  復帰部品
２０  可動管
２１  頭部
２１１  出口端
３０  密封シール装置
３１  ピストン
３１１  貫通孔
３１２  位置決め孔
３２  逆流防止バルブ
３２１  栓弁
３２２  位置決め棒
３３  液体シール室
４０  容器
【図１】
2008074409.tif 000003
【図２】
2008074409.tif 000004
【図３】
2008074409.tif 000005
【図４】
2008074409.tif 000006
【図５】
2008074409.tif 000007
【図６】
2008074409.tif 000008
【図７】
2008074409.tif 000009
【図８】
2008074409.tif 000010
【図９】
2008074409.tif 000011
【図１０】
2008074409.tif 000012